(57)【要約】【課題】低温起動時の異常音の発生を確実に抑制することができ、しかも、低温環境下での流動性が優れて軸受機能を充分に満足させることができる転がり軸受を提供する。【解決手段】４０℃における動粘度が８０ｍｍ２／ｓ以上の基油と増稠剤とから成る潤滑剤が封入される転がり軸受の内部に、４０℃における動粘度が５ｍｍ２／ｓ以上５０ｍｍ２／ｓ以下であるエステル油、合成炭化水素油、エーテル油のいずれか一つ又はこれらの混合物から成る基油に防錆剤を含ませて成り且つ流動点が−４５℃以下の防錆潤滑油を、前記潤滑剤が封入される前に、当該潤滑剤の封入量に対する塗布量を２〜２０重量％に設定して塗布した。【選択図】なし【特許請求の範囲】
【請求項１】
４０℃における動粘度が８０ｍｍ２／ｓ以上の基油と増稠剤とから成る潤滑剤が封入される転がり軸受であって、
４０℃における動粘度が５ｍｍ２／ｓ以上５０ｍｍ２／ｓ以下であるエステル油、合成炭化水素油、エーテル油のいずれか一つ又はこれらの混合物から成る基油に防錆剤を含ませて成り且つ流動点が−４５℃以下の防錆潤滑油を、前記潤滑剤が封入される前に軸受の内部に、当該潤滑剤の封入量に対する塗布量を２〜２０重量％に設定して塗布したことを特徴とする転がり軸受。
【請求項２】
前記防錆潤滑油における基油の４０℃における動粘度を５ｍｍ２／ｓ〜３５ｍｍ２／ｓに設定したことを特徴とする請求項１記載の転がり軸受。
【請求項３】
４０℃における動粘度が５０ｍｍ２／ｓ以下であるエステル油、合成炭化水素油、エーテル油のいずれか一つ又はこれらの混合物を主成分とし且つ防錆剤を含んだ防錆潤滑油を、潤滑剤の封入される前に軸受内部に潤滑剤封入量に対して２〜２０重量％塗布したことを特徴とする転がり軸受。
【発明の詳細な説明】
【技術分野】
【０００１】
本発明は、グリース等の潤滑剤が封入された転がり軸受に関し、特に、オルタネータ、エアーコンディショナ用電磁クラッチ、アイドラープーリ、電動ファンモータ等の自動車用電装部品やエンジン補機類に使用して好適な転がり軸受に関する。
【背景技術】
【０００２】
近年における機械技術の革新により、各種機械部品に使用される転がり軸受の使用条件は益々厳しいものとなっている。特に、オルタネータ、電磁クラッチ、アイドラープーリ等の自動車用電装部品に使用される転がり軸受は、発熱体であるエンジンの高出力・高性能化に伴い、高温、高速に耐えるものが要求されてきており、更にベルトの張力増加に伴い高荷重に耐え得るものが要求されてきている。
【０００３】
このような観点から、最近では熱安定性、耐高速性、耐荷重性に優れたグリースが開発され、使用されはじめてきている。そして、基油として熱安定性の優れたジフェニルエーテル油を使用し、増稠剤としては耐熱性の優れたジウレア化合物を使用する一方で、高荷重を考慮し、油膜厚さを確保するために、４０℃における基油の動粘度が１００ｍｍ２／ｓ前後のグリースが今日では主流となってきている。
【０００４】
しかし、前記基油の動粘度を上述の如く１００ｍｍ２／ｓ前後と高く設定したため、転がり軸受においては低温起動時における保持器と転動体との間の流動性が不足して保持器や外輪に振動音が発生する虞がある。しかも、斯かる振動音は取り付け各部位との共振等により耳障りな異常音となって増幅するため、特に寒冷地等においては前記異常音の対策が重要となってきている。
【０００５】
そこで、かかる異常音の発生を抑制する方策として、基油としてアルキルジフェニルエーテル油とポリαオレフィン油を所定割合で配合した混合油を使用し、増稠剤としてジウレア化合物を使用したグリースが提案されており（例えば、特許文献１参照）、また、軸受内部の摩擦面にポリαオレフィン油等の潤滑油を１．０ｍｇ／ｃｍ２以上塗着した転がり軸受も提案されている（例えば、特許文献２参照）。
【特許文献１】特開平５−１４０５７６号公報
【特許文献２】特開平５−１４９３４３号公報
【発明の開示】
【発明が解決しようとする課題】
【０００６】
しかしながら、上記特許文献１に開示された発明では、基油としてアルキルジフェニルエーテル油とポリαオレフィン油との混合油を使用しているものの、防錆潤滑油の補助無しでは金属音を伴うような騒音の高い異常音の発生を抑制することができても、音圧レベルがそれほど高くない保持器の音のような異常音の発生を抑制するには未だ不充分であるという問題点があった。
【０００７】
また、上記特許文献２に開示された発明においても、高温、高速、高荷重条件下で使用される自動車の電装部品用軸受としては潤滑油の塗着のみであるため、軸受外部へのグリースの漏洩を考慮すると低温での流動性に難点があり、軸受機能を充分に満足させることができないという問題点があった。
【０００８】
ところで、軸受内部に封入されたグリースは、転がり軸受の回転により流動し、摩擦面に供給されて滑らかに回転するが、寒冷地等の極低温雰囲気で転がり軸受を駆動させた場合は、グリースの流動性が不足する傾向にあり、このため摩擦面への潤滑が不十分となる。特に、転がり軸受の転動体と該転動体を保持する保持器との間の潤滑が不十分な状態になると保持器が不規則に振動して異常音を発生する。しかも、その異常音はグリースの基油の動粘度が高くなればなる程発生し易くなる傾向にある。
【０００９】
このような観点から異常音の発生原因である潤滑油の流動性について、本願出願人は鋭意研究を重ねた結果、４０℃における動粘度が５０ｍｍ２／ｓ以下のエステル油、合成炭化水素油、エーテル油のいずれか一つ又はこれらの混合物から成る潤滑油（基油）は高温、高速運転等においてグリースの耐久性を損なうことなく極低温雰囲気においても優れた流動性を示し、その結果、４０℃における基油の動粘度が８０ｍｍ２／ｓ以上のグリースを転がり軸受に封入した場合であっても、上述した異常音の発生を抑制することができるという知見を得た。また、潤滑油に防錆剤を含ませることにより、金属表面の錆発生を抑制することができるという知見も得た。
【００１０】
本発明は、上記知見に基づいてなされたものであり、その目的は、低温起動時における異常音の発生を確実に抑制でき、しかも低温環境下での流動性が優れて軸受機能を充分に満足させることが可能な転がり軸受を提供することにある。
【課題を解決するための手段】
【００１１】
上記目的を達成するため、本発明の第１発明は、４０℃における動粘度が８０ｍｍ２／ｓ以上の基油と増稠剤とから成る潤滑剤が封入される転がり軸受であって、４０℃における動粘度が５ｍｍ２／ｓ以上５０ｍｍ２／ｓ以下であるエステル油、合成炭化水素油、エーテル油のいずれか一つ又はこれらの混合物から成る基油に防錆剤を含ませて成り且つ流動点が−４５℃以下の防錆潤滑油を、前記潤滑剤が封入される前に軸受の内部に、当該潤滑剤の封入量に対する塗布量を２〜２０重量％に設定して塗布したことを特徴とする。
【００１２】
また、上記目的を達成するため、本発明の第２発明は、４０℃における動粘度が５０ｍｍ２／ｓ以下であるエステル油、合成炭化水素油、エーテル油のいずれか一つ又はこれらの混合物を主成分とし且つ防錆剤を含んだ防錆潤滑油を、潤滑剤の封入される前に軸受内部に潤滑剤封入量に対して２〜２０重量％塗布したことを特徴とする。
【発明の効果】
【００１３】
本発明によれば、４０℃における基油の動粘度を５ｍｍ２／ｓ以上５０ｍｍ２／ｓ以下に設定した防錆潤滑油を、潤滑剤の封入される前に軸受内部に潤滑剤封入量に対して２〜２０重量％塗布したから、潤滑剤の高温耐久性等が確保されると共に、低温起動時においても潤滑剤の流動性が確保され、摩擦面、特に転動体と保持器との間の潤滑が良好なものとなり、異常音の発生を確実に抑制することができる。
【００１４】
また、防錆潤滑油の流動点を−４５℃以下に設定したから、低温環境下での流動性が優れて軸受機能を充分に満足させることができる。
【００１５】
更に、防錆潤滑油の基油の４０℃における動粘度を５ｍｍ２／ｓ〜３５ｍｍ２／ｓに設定すれば、異常音の発生をより一層確実に抑制することができる。
【発明を実施するための最良の形態】
【００１６】
以下、本発明の実施の形態を説明する。
【００１７】
本実施の形態に係る転がり軸受は、４０℃における動粘度が５０ｍｍ２／ｓ以下であるエステル油、合成炭化水素油、エーテル油のいずれか一つ又はこれらの混合物から成る基油に防錆剤を含ませて成る防錆潤滑油が、潤滑剤としてのグリースが封入される前に、当該潤滑剤の封入量に対する塗布量を２〜２０重量％に設定して軸受内部に塗布されている。
【００１８】
また、本実施の形態に係る転がり軸受は、転動体のピッチ円直径が保持器のピッチ円直径よりも大きく設定され、４０℃における動粘度が５０ｍｍ２／ｓ以下であるエステル油、合成炭化水素油、エーテル油のいずれか一つ又はこれらの混合物から成る基油に防錆剤を含ませて成る防錆潤滑油が、潤滑剤の封入される前に軸受内部に塗布されている。
【００１９】
防錆潤滑油と封入されるグリースとは、転がり軸受を繰返して使用することにより混合されるが、低粘度、低流動点を有する防錆潤滑油は低温流動性に優れ、従って、斯かる低粘度、低流動点の防錆潤滑油の存在により異常音の発生を抑制することができる。また、防錆潤滑油に混入される防錆剤は、金属表面の錆発生を抑制する効果を奏する。
【００２０】
上述したエステル油、合成炭化水素油、エーテル油としては、以下のものが使用される。
【００２１】
即ち、エステル油としては、ジエステル油やヒンダードエステル油が使用されるが、ジエステル油としては、具体的には、ジオクチルアジペート（ＤＯＡ）、ジイソブチルアジペート（ＤＩＢＡ）、ジブチルアジペート（ＤＢＡ）、ジオクチルアゼレート（ＤＯＺ）、ジオクチルセバケート（ＤＯＳ）等を使用することができ、またヒンダードエステル油としては、ペンタエリスリトールエステル（ＰＥＴ）、トリメチロールプロパンエステル（ＴＭＰ）等を使用することができる。
【００２２】
合成炭化水素油としては、ポリαオレフィン（ＰＡＯ）、エチレンポリαオレフィンオリゴマ等を使用することができる。
【００２３】
エーテル油としては、ジフェニルエーテル（ＡＰＥ）、又は／及びその誘導体等を使用することができる。
【００２４】
防錆潤滑油に混入される防錆剤としては、バリウムスルホネート、カルシウムスルホネート、亜鉛スルホネート、ソルビタンモノオレート、ソルビタントリオレート、亜硝酸ソーダ、その他ベンゾトリアゾール等の気化性防錆剤を使用することができる。
【００２５】
更に、その他の配合剤として、αフェニルナフチルアミンやジオクチルジフェニルアミン等の酸化防止剤、又は／及び燐酸トリクレジル、ジアルキルジチオ燐酸亜鉛等の極圧剤を適宜混入するのも好ましい。
【００２６】
次に、本実施の形態では、防錆潤滑油の動粘度、流動点、塗布量について最適範囲を設定しており、該最適範囲の臨界的意義について説明する。
【００２７】
（１）防錆潤滑油の動粘度
基油の動粘度の低い防錆潤滑油は、優れた低温流動性を示し、異常音の発生抑制に寄与するが、そのためには、４０℃における基油の動粘度を５０ｍｍ２／ｓ以下に設定する必要がある。即ち、４０℃における基油の動粘度が５０ｍｍ２／ｓ以上の場合は、異常音の発生を抑制するためには基油の動粘度が高すぎるため、異常音の発生に対する抑制効果を期待できず、従って、本実施の形態では、４０℃における基油の動粘度を５ｍｍ２／ｓ以上５０ｍｍ２／ｓ以下、好ましくは、５〜３５ｍｍ２／ｓに限定した。
【００２８】
（２）防錆潤滑油の流動点
防錆潤滑油の流動点を低く設定することは、低動粘度を有することと相まって防錆潤滑油の低温流動性を優れたものとする性質を有するが、そのためには防錆潤滑油の流動点を−４５℃以下に設定する必要がある。即ち、防錆潤滑油の流動点が−４４℃以上の場合は低温流動性に対する効果が少なく、そのために本実施の形態では、防錆潤滑油の流動点を−４５℃以下に限定した。
【００２９】
（３）防錆潤滑油の軸受内部への塗布量
上述したようにグリースが封入される前に低動粘度、低流動点の防錆潤滑油を軸受内部に塗布することにより、低温流動性が良好となり、これにより保持器から発生する異常音を抑制することができる。しかしながら、グリースの封入量に対する防錆潤滑油の塗布量（以下、単に「塗布量」という。）が２重量％以下の少量のときは、異常音の発生抑制という所期の作用効果を発揮することができない。
【００３０】
一方、グリースの封入量に対する防錆潤滑油の塗布量が２０重量％を超えると、封入されたグリースが軟化してグリースが転がり軸受の外部に漏出する虞がある。
【００３１】
そこで、本実施の形態では、防錆潤滑油の塗布量をグリースの封入量に対して２〜２０重量％、好ましくは、５〜１５重量％に限定した。
【００３２】
また、従来の転がり軸受は、転動体のピッチ円直径Ｄ１と保持器のピッチ円直径Ｄ２とを同一値に設定して転がり軸受に組み込んでいるが、転動体のピッチ円直径Ｄ１を保持器のピッチ円直径Ｄ２に対して所定値αだけ大きくなるように偏位させて、該転動体及び保持器を転がり軸受に組み込むように構成することによっても、尚、一層の異常音発生を抑制することができる。
【００３３】
即ち、図１は、ピッチ円直径Ｄ１、Ｄ２が同一値とされた従来の転がり軸受の要部拡大図であり、図２は、転動体のピッチ円直径Ｄ１を保持器のピッチ円直径Ｄ２に対して所定値αだけ大きく設定した（Ｄ１＝Ｄ２＋α）転がり軸受の要部拡大図であり、両図において、１は転動体、２は保持器である。
【００３４】
図１においては、保持器２の内外輪に対する矢印Ａ方向（半径方向）の動き量Ｘ１は、数式（１）で表される。
【００３５】
Ｘ１＝Ｙ＋ΔＭ    …（１）
ここで、Ｙは転動体１の内外輪に対する隙間内の矢印Ｂ方向の動き量であり、ΔＭは保持器２の転動体１に対する動き量である。
【００３６】
同様に、図２においては、保持器２の内外輪に対する矢印Ａ方向（水平方向）の動き量Ｘ２は、数式（２）で表される。
【００３７】
Ｘ２＝Ｙ＋ΔＮ    …（２）
ここで、ΔＮは保持器２の転動体１に対する動き量である。
【００３８】
また、図２の転がり軸受は、図１の転がり軸受に比べ転動体のピッチ円直径Ｄ１を保持器のピッチ円直径Ｄ２に対して所定値αだけ大きく設定しているので、ΔＭとΔＮとの間には数式（３）に示す関係がある。
【００３９】
ΔＸ１−ΔＸ２＝α／２  …（３）
即ち、図２の転がり軸受は、図１の転がり軸受に比べて保持器２の内外輪に対する動き量がα／２だけ少なくなる。その結果、保持器２と転動体１との摩擦に起因する異常音もα／２だけ小さくなり、これにより異常音が拡大するのを抑制することができる。ここで、所定値αとしては、＋０．１程度に設定するのが好ましい。これは、所定値αを＋０．１５以上に設定すると、保持器２のポケットのエッジ部（図中、Ｃで示す）と転動体１との間で滑り音が発生する一方で、所定値αを−０．１以下としても、保持器２から間欠的ではあるが、異常音が発生するためである。
【００４０】
そして、グリースを封入する前に上述した防錆潤滑油を軸受内部に塗布することにより、前記エッジ部Ｃと転動体１との間の潤滑状態を向上させることができ、異常音発生の原因となる所謂スティックスリップ現象による振動発生を抑制することができる。
【００４１】
このように、上述した防錆潤滑油をグリースの封入前に軸受内部に塗布すると共に、転動体１のピッチ円直径Ｄ１を保持器２のピッチ円直径Ｄ２に対して所定値α（＝０．１）だけ大きく偏位させることにより、保持器２から発生する異常音をより一層低減することができる。
【００４２】
次に、本発明の実施例について具体的に説明する。
【００４３】
まず、本願出願人は、表１に示すような組成比でもって潤滑油と防錆剤等を調合し、動粘度及び流動点の異なる防錆潤滑油を作成し（(1)〜(7)）、更に、４０℃における動粘度が３２ｍｍ２／ｓ、流動点が−１３℃の鉱油（ＦＢＫオイルＲ０；日本石油（株）製）を準備した。
【００４４】
【表１】
2006132778.tif 000002
【００４５】
表１中、防錆潤滑油において、潤滑油としては、(1)、(2)、(5)はＤＯＳを使用し、(3)、(6)はＰＥＴを使用し、(4)はＰＡＯを使用し、(7)はＡＰＥを使用した。また、防錆剤としては、いずれもカルシウムスルホネートとバリウムスルホネートを使用した。また、(2)を除き潤滑油と防錆剤との比率はいずれも潤滑油：防錆剤＝９５：５に調合し、(2)は、(1)の防錆潤滑油に極圧剤として燐酸トリクレジルを添加し、その組成比は潤滑油：防錆剤：極圧剤＝９１．２：４．８：４に調合されている。
【００４６】
次に、試験供試品として非接触ゴムシール付き密封玉軸受（外径３２ｍｍ、内径１５ｍｍ、幅１１ｍｍ）を使用し、表１の防錆潤滑油を軸受内部に塗布した後、グリースを封入し、シール板を挿着した後、保持器の異常音発生の有無、グリース漏れ、グリース寿命を測定した。
【００４７】
軸受に封入されたグリースの組成、封入量等は以下の通りである。
【００４８】
〔グリースの組成、封入量等〕
基  油      ：  エーテル系合成油
動粘度      ：  ４０℃において１００ｍｍ２／ｓ
増稠剤      ：  ウレア化合物
混和増稠度  ：  ２９０
添加剤      ：  酸化防止剤、防錆剤
封入量      ：  ６００ｍｇ
また、防錆潤滑油の軸受内部への塗布は以下のようにして行った。即ち、有機溶剤としての石油ベンジンで脱脂した転がり軸受の内部に所定の防錆潤滑油を所定量注入、秤量した後、手回しにて回転を与え、軸受内部に万遍なく塗布するようにした。
【００４９】
表２は、保持器の異常音発生の有無判定結果、グリース漏れ及びグリース寿命の測定結果を示す。
【００５０】
【表２】
2006132778.tif 000003
【００５１】
保持器の異常音発生の有無判定は以下のようにして行った。即ち、恒温槽を０℃に保持すると共に、該恒温槽の内部に配設された軸受回転装置に試験供試品である上記玉軸受を組み込んで３０分間放置し、その後、プーリ荷重１００ｋｇｆでモータを駆動させ、該モータが起動してから５秒後にモータ回転数が４，１００ｒｐｍとなるように調整し、該モータ回転数で４分間回転を持続させた。そして、保持器の異常音発生の有無確認は、上記玉軸受の近傍に配設したマイクロホンを介してスピーカにより聴覚で判定した。
【００５２】
また、グリースの漏れは、１５０℃、１５，０００ｒｐｍ、ラジアル荷重２０ｋｇｆで２０時間連続運転を行い、玉軸受の軸受重量の減少量からグリース漏れ率（％）を算出し、評価した。
【００５３】
グリース寿命は、グリース漏れ試験が終了した後、恒温槽を温度１６０℃に設定して連続運転を行い、異常が発生するか否か試験を行った。グリースの寿命は、軸受トルクの増大によりモータが過電流で停止するか、或いは軸受外輪温度が１７５℃を超えた時点を寿命とし、連続１，０００時間の運転でも異常がない場合は試験を中止して、グリースの高温耐久性は良好であると判定した。
【００５４】
尚、異常音発生の有無確認については、同一条件の試験供試品（玉軸受）５個について行い、グリース漏れ及びグリース寿命については、３個の試験供試品（玉軸受）について試験を行った。
【００５５】
表２から明らかなように、実施例１〜１０は、いずれも防錆潤滑油の基油の４０℃における動粘度が５０ｍｍ２／ｓ以下で且つ流動点が−４５℃以下であり、塗布量もグリースの封入量に対して２〜２０重量％であり、良好な結果を得ることができた。特に、防錆潤滑油の塗布量がグリースの封入量に対して５〜１５重量％に設定された実施例２〜実施例５、及び実施例７〜実施例１０は、異常音発生が皆無であり、グリースの漏れ率も１０％を超えることがなく、またグリースの寿命も１０００時間以上を確保することができ、極めて良好な実験結果を得た。
【００５６】
これに対して、比較例５１は、防錆潤滑油の塗布量がグリースの封入量に対して１重量％と低いため、グリース漏れ率は良好であるが、異常音発生の抑制には効果がないことが判る。また、比較例５２は、異常音発生については良好な結果を得ることができるものの、防錆潤滑油の塗布量がグリースの封入量に対して２５重量％と多いため、グリース漏れ率が３０重量％を超えており、従って、グリース漏れ率の悪化を招来し、しかも、グリース寿命についても６５０時間程度と、各実施例１〜１０に比べて耐久性に劣る。また、比較例５３は、流動点が−２５℃と低温流動性の悪い防錆潤滑油(6)を使用しており、また、比較例５４は、４０℃における基油の動粘度が１００ｍｍ２／ｓと動粘度の高い防錆潤滑油(7)を使用しているため、いずれも、保持器からの異常音発生を抑制することができないことが判った。また、比較例５５は、市販の鉱油を使用したものであり、本発明の防清潤滑油を使用していないため、塗布量はグリースの封入量に対して１０重量％であるものの、異常音の発生を抑制することができなかった。
【００５７】
更に、本願出願人は、上記玉軸受と同一サイズ（外径３２ｍｍ、内径１５ｍｍ、幅１１ｍｍ）の玉軸受について、転動体のピッチ円直径Ｄ１を保持器のピッチ円直径Ｄ２に対して所定値αだけ大きく設定した玉軸受を製造し、異常音発生の有無確認を行った。
【００５８】
即ち、０℃に保持した恒温槽の内部に配設された軸受回転装置に試験供試品である上記玉軸受を組み込んで６０分間以上放置した後、プーリ荷重５０ｋｇｆで回転数５，０００ｒｐｍに設定して５分間連続運転し、音圧を測定した。
【００５９】
表３は、その測定結果を示している。
【００６０】
【表３】
2006132778.tif 000004
【００６１】
この表３から明らかなように、所定値αが＋０．１ｍｍに設定されている場合は、公転周波数の最大値を１００とした場合の音圧比Ｖが４９〜６０％と良好であり、異常音発生も聴覚で感知することはできなかった。これに対して、比較例６１〜６６は、いずれも間欠的な異常音の発生や、連続的な滑り音の発生等が知覚された。また、比較例６７、６８は、所定値αが＋０．１ｍｍに設定されているものの、比較例６７は、防錆潤滑油を塗布しておらず、また、比較例６８は、鉱油を塗布したものであり、いずれも滑り音の発生が確認された。
【図面の簡単な説明】
【００６２】
【図１】転動体と保持器のピッチ円直径が同一の場合の転がり軸受の要部拡大図である。
【図２】転動体のピッチ円直径が保持器のピッチ円直径より所定値だけ大きく設定された場合の転がり軸受の要部拡大図である。
【図１】
2006132778.tif 000005
【図２】
2006132778.tif 000006